(57)【要約】  ウェアラブルデバイスと結合可能な充電補助機器は、互いに反対方向に延在し、両端の間を結合可能な本体と、前記本体に配置され、前記ウェアラブルデバイスを前記本体に結着する結着部と、前記本体に内蔵され、前記ウェアラブルデバイスを充電するためのバッテリを有する充電部と、を含み、前記充電部は、前記ウェアラブルデバイスが前記本体と結着した場合、前記バッテリを通じて前記ウェアラブルデバイスを充電しても良い。
2021511772.tif 000002
【特許請求の範囲】
【請求項１】
ウェアラブルデバイスと結合可能な充電補助機器において、
互いに反対方向に延在し、両端の間を結合可能な本体と、
前記本体に配置され、前記ウェアラブルデバイスを前記本体に結着する結着部と、
前記本体に内蔵され、前記ウェアラブルデバイスを充電するためのバッテリを有する充電部と、を含み、
前記充電部は、前記ウェアラブルデバイスが前記本体と結着した場合、前記バッテリを通じて前記ウェアラブルデバイスを充電する、充電補助機器。
【請求項２】
前記本体は、手首に巻くことのできるストラップを含む、請求項１に記載の充電補助機器。
【請求項３】
前記結着部は、前記ウェアラブルデバイスと前記本体との間で着脱可能に構成される、請求項１に記載の充電補助機器。
【請求項４】
前記結着部は、互いに異なる形態の第１の結着部及び第２の結着部を含み、前記第１の結着部及び前記第２の結着部は、前記本体の上面の互いに異なる位置に一対で配置される、請求項３に記載の充電補助機器。
【請求項５】
前記第１の結着部は、前記ウェアラブルデバイスの一側と連結された第１の結着補助部と結着して前記ウェアラブルデバイスの一側を前記本体と固定し、
前記第２の結着部は、前記ウェアラブルデバイスの他側と連結された第２の結着補助部と結着して前記ウェアラブルデバイスの他側を前記本体と固定する、請求項４に記載の充電補助機器。
【請求項６】
前記第１の結着部は、磁石方式又はスライド方式のうち何れかの方式で前記第１の結着補助部と結着するように構成され、
第２の結着部は、前記磁石方式又は前記スライド方式のうち何れかの方式で前記第２の結着補助部と結着するように構成される、請求項５に記載の充電補助機器。
【請求項７】
前記充電部は、前記本体の上面に位置し、前記本体と結着したウェアラブルデバイスが位置する充電領域を含む、請求項１に記載の充電補助機器。
【請求項８】
前記充電領域は、前記ウェアラブルデバイスが前記本体と結着した場合、前記ウェアラブルデバイスの下面に位置するセンサと対面する、請求項７に記載の充電補助機器。
【請求項９】
前記充電部は、前記充電領域を通じて前記本体と結着したウェアラブルデバイスに対する無線充電を行う、請求項８に記載の充電補助機器。
【請求項１０】
前記バッテリは、前記充電領域の反対方向に位置し、前記本体の延在方向と水平に前記本体の下面に位置するように前記本体に内蔵される、請求項７に記載の充電補助機器。
【請求項１１】
前記バッテリは、前記本体の変形に応じて外形が変形可能なフレキシブルバッテリを含む、請求項１０に記載の充電補助機器。
【請求項１２】
ウェアラブルデバイスと結合可能な充電補助機器を通じて前記ウェアラブルデバイスを充電する方法において、
互いに反対方向に延在し、両端が結合可能な本体に配置された結着部を通じて前記ウェアラブルデバイスを前記本体に結着するステップと、
前記ウェアラブルデバイスが前記本体と結着した場合、前記本体に内蔵されたバッテリを通じて前記ウェアラブルデバイスを充電するステップと、
を含む、充電方法。
【発明の詳細な説明】
【技術分野】
【０００１】
本発明は、ウェアラブルデバイスと結合可能な充電補助機器及び充電補助機器を通じてウェアラブルデバイスを充電する方法に関する。
【背景技術】
【０００２】
近年、スマートウォッチ、スマートバンド、スマートネックレスなどのような様々な種類のウェアラブルデバイスが開発されている。ウェアラブルデバイスは、通話、健康管理、時計、メッセージ確認、スケジュール確認などのような様々な機能を果たしており、ウェアラブルデバイスの機能が徐々に拡大している傾向である。
【０００３】
かかるウェアラブルデバイスは、内部に内蔵されたバッテリで動作するが、ユーザの体に着用されるという理由でサイズ、重量などに制限があり、バッテリの容量を増やすことは難しい。
【０００４】
一方、ウェアラブルデバイスのバッテリを充電するためには別途の外部充電装置が必要であり、ユーザがウェアラブルデバイスを着脱しなければならないため、ウェアラブルデバイスを紛失する恐れがある。
【先行技術文献】
【特許文献】
【０００５】
【特許文献１】韓国公開特許公報第２０１６−００７７９３３号（２０１６年７月４日付にて公開）
【発明の概要】
【発明が解決しようとする課題】
【０００６】
ユーザが着用している状態でウェアラブルデバイスを充電することのできる機器であって、ウェアラブルデバイスと結合可能な充電補助機器を提供することを目的とする。但し、本実施例が達成しようとする技術的課題は、上記したような技術的課題に限定されるものではなく、他の技術的課題が存在し得る。
【課題を解決するための手段】
【０００７】
上述した技術的課題を達成するための技術的手段として、本発明の第１の側面に係るウェアラブルデバイスと結合可能な充電補助機器は、互いに反対方向に延在し、両端の間を結合可能な本体と、前記本体に配置され、前記ウェアラブルデバイスを前記本体に結着する結着部と、前記本体に内蔵され、前記ウェアラブルデバイスを充電するためのバッテリを有する充電部と、を含み、前記充電部は、前記ウェアラブルデバイスが前記本体と結着した場合、前記バッテリを通じて前記ウェアラブルデバイスを充電しても良い。
【０００８】
一例において、前記本体は、手首に巻くことのできるストラップを含んでいても良い。
【０００９】
一例において、前記結着部は、前記ウェアラブルデバイスと前記本体との間で着脱可能に構成されていても良い。
【００１０】
一例において、前記結着部は、互いに異なる形態の第１の結着部及び第２の結着部を含み、前記第１の結着部及び前記第２の結着部は、前記本体の上面の互いに異なる位置に一対で配置されていても良い。
【００１１】
一例において、前記第１の結着部は、前記ウェアラブルデバイスの一側と連結された第１の結着補助部と結着して前記ウェアラブルデバイスの一側を前記本体と固定し、前記第２の結着部は、前記ウェアラブルデバイスの他側と連結された第２の結着補助部と結着して前記ウェアラブルデバイスの他側を前記本体と固定しても良い。
【００１２】
一例において、前記第１の結着部は、磁石方式又はスライド方式のうち何れかの方式で前記第１の結着補助部と結着するように構成され、第２の結着部は、前記磁石方式又は前記スライド方式のうち何れかの方式で前記第２の結着補助部と結着するように構成されていても良い。
【００１３】
一例において、前記充電部は、前記本体の上面に位置し、前記本体と結着したウェアラブルデバイスが位置する充電領域を含んでいても良い。
【００１４】
一例において、前記充電領域は、前記ウェアラブルデバイスが前記本体と結着した場合、前記ウェアラブルデバイスの下面に位置するセンサと対面しても良い。
【００１５】
一例において、前記充電部は、前記充電領域を通じて前記本体と結着したウェアラブルデバイスに対する無線充電を行っても良い。
【００１６】
一例において、前記バッテリは、前記充電領域の反対方向に位置し、前記本体の延在方向と水平に前記本体の下面に位置するように前記本体に内蔵されていても良い。
【００１７】
一例において、前記バッテリは、前記本体の変形に応じて外形が変形可能なフレキシブルバッテリを含んでいても良い。
【００１８】
本発明の第２の側面に係るウェアラブルデバイスと結合可能な充電補助機器を通じて前記ウェアラブルデバイスを充電する方法は、互いに反対方向に延在し、両端が結合可能な本体に配置された結着部を通じて前記ウェアラブルデバイスを前記本体に結着するステップと、前記ウェアラブルデバイスが前記本体と結着した場合、前記本体に内蔵されたバッテリを通じて前記ウェアラブルデバイスを充電するステップと、を含んでいても良い。
【００１９】
上述した課題を解決するための手段は、単なる例示であり、本発明を制限する意図で解釈されてはならない。上述した例示的な実施例の他にも、図面及び発明の詳細な説明に記載された追加の実施例が存在し得る。
【発明の効果】
【００２０】
上述した本発明の課題を解決するための手段の何れか１つによれば、本発明は、ウェアラブルデバイスを充電するためにウェアラブルデバイスを着脱する必要がなく、ウェアラブルデバイスと結着した充電補助機器を着用している状態でウェアラブルデバイスを充電することができるので、ユーザの便宜性を向上させ、何れかの製品に限定されることなく様々なウェアラブルデバイスに結着することにより、使用時間を増加させることができる。
【図面の簡単な説明】
【００２１】
【図１ａ】本発明の一実施例に係る、ウェアラブルデバイスを説明するための図である。
【図１ｂ】本発明の一実施例に係る、ウェアラブルデバイスを説明するための図である。
【図１ｃ】本発明の一実施例に係る、ウェアラブルデバイスを説明するための図である。
【図２ａ】本発明の一実施例に係る、ウェアラブルデバイスと結合可能な充電補助機器及びウェアラブルデバイスの機能損失を阻むための補助機器を説明するための図である。
【図２ｂ】本発明の一実施例に係る、ウェアラブルデバイスと結合可能な充電補助機器及びウェアラブルデバイスの機能損失を阻むための補助機器を説明するための図である。
【図３ａ】本発明の一実施例に係る、ウェアラブルデバイスと充電補助機器とを結合する過程を説明するための図である。
【図３ｂ】本発明の一実施例に係る、ウェアラブルデバイスと充電補助機器とを結合する過程を説明するための図である。
【図３ｃ】本発明の一実施例に係る、ウェアラブルデバイスと充電補助機器とを結合する過程を説明するための図である。
【図３ｄ】本発明の一実施例に係る、ウェアラブルデバイスと充電補助機器とを結合する過程を説明するための図である。
【図４ａ】ウェアラブルデバイスの機能損失を阻むための補助機器とウェアラブルデバイスとを結合する過程を説明するための図である。
【図４ｂ】ウェアラブルデバイスの機能損失を阻むための補助機器とウェアラブルデバイスとを結合する過程を説明するための図である。
【図４ｃ】ウェアラブルデバイスの機能損失を阻むための補助機器とウェアラブルデバイスとを結合する過程を説明するための図である。
【図５】本発明の一実施例に係る、ウェアラブルデバイスと結合可能な充電補助機器を通じてウェアラブルデバイスを充電する方法を示すフローチャートである。
【発明を実施するための形態】
【００２２】
以下では、添付した図面を参照しながら、本発明の属する技術分野において通常の知識を有する者が容易に実施できるように本発明の実施例を詳しく説明する。ところが、本発明は様々な異なる形態に具現されることができ、ここで説明する実施例に限定されるものではない。そして、図面において、本発明を明確に説明するために、説明とは関係ない部分は省略しており、明細書全体に亘って類似した部分に対しては類似した図面符号を付けている。
【００２３】
明細書全体において、ある部分が他の部分と「連結」されているという場合、これは「直接的に連結」されている場合だけでなく、その中間に他の素子を挟んで連結されている場合も含む。また、ある部分がある構成要素を「含む」という場合、これは、特に反対の記載がない限り、他の構成要素を除くのではなく、他の構成要素をさらに含み得ることを意味する。
【００２４】
以下、添付した構成図又はフローチャートを参考にしながら、本発明を実施するための具体的な内容を説明することとする。
【００２５】
図１ａ乃至図１ｃは、本発明の一実施例に係る、ウェアラブルデバイスを説明するための図である。図１ａ乃至図１ｃを参照すると、ウェアラブルデバイス１００には、ウェアラブルデバイス１００の両側に所定間隔で離隔し、互いに対応する一対の連結ホーム（第１の連結ホーム及び第２の連結ホーム）が形成されている。
【００２６】
ウェアラブルデバイス１００の一側に形成された第１の連結ホームに第１の結着補助部１２０を含む第１のストラップ（又はバンド）１１０を入れ込み、ウェアラブルデバイス１００の他側に形成された第２の連結ホームに第２の結着補助部１３０を含む第２のストラップ（又はバンド）１４０を入れ込んでも良い。第１のストラップ１１０を利用してウェアラブルデバイス１００の一側を締結し、第２のストラップ１４０を利用してウェアラブルデバイス１００の他側を締結しても良い。例えば、第１の結着補助部１２０を含む第１のストラップ１１０と第２の結着補助部１３０を含む第２のストラップ１４０はウェアラブルデバイス１００から着脱可能であり、ウェアラブルデバイス１００に締結される第１のストラップ１１０と第２のストラップ１４０の締結位置を変更して使用しても良い。
【００２７】
ウェアラブルデバイス１００は、ディスプレイと、ディスプレイの駆動を制御するプロセッサと、データを格納するメモリと、ディスプレイの駆動に必要な電源を供給する電源部と、を含んでいても良い。また、ウェアラブルデバイス１００は、メッセージの送受信又は電話通話機能を提供する通信用プロセッサなどをさらに含んでいても良い。ウェアラブルデバイス１００は、例えば、示された図面のようにウォッチタイプのウェアラブルデバイスであっても良い。
【００２８】
ウェアラブルデバイス１００には、ウェアラブルデバイス１００を着用した着用者の身体信号を感知するセンサ１５０が内蔵されている。例えば、ウェアラブルデバイス１００の内部には、着用者の脈拍／心拍数を測定する脈搏／心拍数測定用センサと、ユーザの体温を測定する熱認識センサなどが設けられている。
【００２９】
図２ａ乃至図２ｂは、本発明の一実施例に係る、ウェアラブルデバイス１００と結合可能な充電補助機器及びウェアラブルデバイスの機能損失を阻むための補助機器を説明するための図である。図２ａを参照すると、ウェアラブルデバイス１００と結合可能な充電補助機器２０は、互いに反対方向に延在し、両端の間を結合可能な本体２００と、本体２００に配置され、ウェアラブルデバイス１００を本体２００に結着する結着部２１０、２２０と、ウェアラブルデバイス１００を充電する充電部２３０と、を含んでいても良い。
【００３０】
充電補助機器２０の本体２００の形態は、ユーザの手首に巻くことのできるストラップ形態を含んでいても良い。かかる充電補助機器２０の本体２００は、例えば、外圧により曲げられる軟性材質で構成されていても良い。充電補助機器２０は、ユーザの手首などに着用可能なように設けられても良い。
【００３１】
本体２００は、本体２００の両端を連結する結束具を含むストラップを含んでいても良い。例えば、本体２００は、本体２００の一面に形成された複数の孔のうち１つを本体２００の他面の末端に備えられたリング状部材に通らせ、リング状部材に形成された固定ピンを１つの孔に固定することで本体２００の両端を相互結合するストラップ（例えば、バックル形態のストラップ）を含んでいても良い。他の例として、本体２００は、本体２００の一面に形成された複数の孔のうち１つを本体２００の他面の末端に備えられた固定顎が通り、固定顎で当該孔を固定することで本体２００の両端を相互結合するストラップを含んでいても良い。
【００３２】
また、充電補助機器２０の本体２００は、様々なストラップを含んでいても良い。例えば、本体２００は、図２ａのようにウェアラブルデバイス１００を充電するために第１の形態のラインを有するストラップを含んでいても良い。第１の形態のラインを有する充電補助機器２０は、本体２００の幅と均一な面積となるように形成されても良い。本体２００は、図２ｂのように、ウェアラブルデバイス１００の下面のセンサを使用するために本体２００の中央に孔が形成された第２の形態のラインを有するストラップを含んでいても良い。第２の形態のラインを有する補助機器は、本体２００の中央領域の幅及び面積が他の領域に比べて大きく形成され、本体２００の両端から中央に行くほどその面積が徐々に大きくなっても良い。
【００３３】
また、充電補助機器２０の本体２００を包むストラップカバーは、バッテリを包むように構成されていても良い。かかるストラップカバーは、例えば、少なくとも一部が皮材質、ポリマー材質、ゴム材質、繊維材質、シリコーン材質、ウレタン材質、スチール材質など様々な材質で設けられても良い。
【００３４】
結着部２１０、２２０は、互いに異なる形態の第１の結着部２１０及び第２の結着部２２０を含んでいても良い。ここで、第１の結着部２１０及び第２の結着部２２０は、本体２００の上面の互いに異なる位置に一対で配置されており、ウェアラブルデバイス１００と本体２００との間で着脱可能に構成されていても良い。
【００３５】
第１の結着部２１０は、磁石方式又はスライド方式のうち何れかの方式でウェアラブルデバイス１００の一側と連結された第１の結着補助部１２０と結着し、第２の結着部２２０は、磁石方式又はスライド方式のうち何れかの方式でウェアラブルデバイス１００の他側と連結された第２の結着補助部１３０と結着しても良い。一例として磁石方式又はスライド方式を記載したが、結着部のデザイン及び機能変更によりリングタイプ、ボタンタイプ、押しボタンタイプ、回転タイプ、スクリュータイプなど、その他の様々な締結具により様々な結着方式があり得る。
【００３６】
ここで、図２ａ乃至図２ｂと共に図１ｃを参照すると、第１の結着部２１０は、ウェアラブルデバイス１００の一側と連結された第１の結着補助部１２０と結着することによってウェアラブルデバイス１００の一側を本体２００と固定しても良い。例えば、第１の結着補助部１２０の一側に磁石が突出し、第１の結着部２１０の内側に磁石板を有する磁石ホームが形成された場合、第１の結着補助部１２０の磁石を第１の結着部２１０の磁石ホームに位置させると、磁石が磁石ホームに挿入されると同時に磁力で付着状態を維持することができる。
【００３７】
第２の結着部２２０は、ウェアラブルデバイス１００の他側と連結された第２の結着補助部１３０と結着することによってウェアラブルデバイス１００の他側を本体２００と固定しても良い。例えば、第２の結着補助部１３０の一側に形成された突出部を第２の結着部２２０の内側に形成された取り付け空間に予め設定された方向へスライド方式で挿入することによって本体２００を固定することができる。
【００３８】
上述のように互いに異なる方式の一対の結着部を利用してウェアラブルデバイス１００を本体２００に固定することで、例えば、磁石方式の結着部がウェアラブルデバイス１００の結着補助部との結合が外されたとても、ウェアラブルデバイス１００の他方のスライド方式の結着部がウェアラブルデバイス１００と本体２００とを固定し続けることができる。これにより、本願発明は、互いに異なる方式の一対の結着部を利用することで、同じ方式の一対の結着部を利用する場合に比べてより効果的にウェアラブルデバイス１００を本体２００に固定することができる。
【００３９】
再び図２ａを参照すると、充電部２３０は、本体２００の中央に位置し、ウェアラブルデバイス１００を充電する充電領域２３１を含んでいても良い。例えば、充電領域２３１は、本体２００とウェアラブルデバイス１００とが結着する際、本体２００においてウェアラブルデバイス１００が位置する領域に対応しても良い。充電領域２３１は、ウェアラブルデバイス１００が本体２００と結着した場合、ウェアラブルデバイス１００の下面に位置するセンサと対面する。例えば、充電領域２３１は、ウェアラブルデバイス１００の下面に位置するセンサと予め設定された距離以下に置かれるか、接触することで対面しても良い。
【００４０】
充電部２３０は、充電領域２３１を通じて本体２００と結着したウェアラブルデバイス１００に対する無線充電を行っても良い。例えば、充電部２３０は、充電領域２３１の下部に位置する充電モジュール（例えば、Ｔｘコイルモジュール）で構成されているので、ウェアラブルデバイス１００と充電領域２３１とが対面する場合、充電モジュールを利用してウェアラブルデバイス１００の無線充電を行うことができる。例えば、ウェアラブルデバイス１００は、充電領域２３１と接触する場合だけでなく、予め設定された距離以下に置かれるように対面する場合も無線充電されることができる。
【００４１】
充電部２３０は、本体２００に内蔵されたバッテリを有し、バッテリは、充電領域２３１の反対面である本体２００の下面に位置し、本体２００の延在方向と水平をなすように形成されても良い。
【００４２】
本体２００に内蔵されたバッテリは、本体２００の変形に応じてバッテリの外形が変形可能なフレキシブルなバッテリであっても良い。例えば、ユーザが手首に本体２００を着用すれば、本体２００に内蔵されたバッテリは手首の屈曲形態に応じて変形され、柔軟に変形可能なバッテリが本体２００に内蔵されているので、外部衝撃に対するバッテリの耐久性が強化されることができる。
【００４３】
第１の形態のラインのストラップを有する充電補助機器２０であって本体２００の形態が図２ａのような場合、本体２００と結着したウェアラブルデバイス１００は、充電部２３０の充電領域２３１を通じてウェアラブルデバイス１００に対する無線充電を行っても良い。但し、この場合、ウェアラブルデバイス１００の下面に位置するセンサを通じて着用者の身体信号を測定することは難しい。
【００４４】
第２の形態のラインのストラップを有する補助機器に該当する本体２００の一部は、図２ｂのようにウェアラブルデバイス１００の機能損失を阻むためのウェアラブルデバイス１００のセンサ１５０とユーザの身体との接触を可能にする孔を含んでいても良い。このような場合、ウェアラブルデバイス１００は、本体２００の充電部２３０を通じて充電することができないが、ウェアラブルデバイス１００の下面に位置するセンサがユーザの身体に接触するので、当該センサを通じて着用者の身体信号を測定することができる。
【００４５】
図３ａ乃至図３ｄは、本発明の一実施例に係る、ウェアラブルデバイス１００と充電補助機器２０とを結合する過程を説明するための図である。
【００４６】
図３ａ乃至図３ｄを参照すると、ユーザは、ウェアラブルデバイス１００を充電するために第１の形態のラインのストラップを有する充電補助機器２０とウェアラブルデバイス１００とを結合してユーザの手首に着用しても良い。具体的に、ユーザは、ウェアラブルデバイス１００を着用するために、ウェアラブルデバイス１００の一側と連結された第１の結着補助部１２０を充電補助機器２０の本体２００に形成された第１の結着部２１０に磁石方式で固定し、ウェアラブルデバイス１００の他側と連結された第２の結着補助部１3０を充電補助機器２０の本体２００に形成された第２の結着部２２０にスライド方式で固定しても良い。このとき、充電補助機器２０の充電領域２３１を含む充電部２３０にウェアラブルデバイス１００の下面に位置するセンサを対面させることができる。
【００４７】
充電部２３０は、本体２００に内蔵されてウェアラブルデバイス１００を充電するためのバッテリ及び充電モジュール３１０を含み、ウェアラブルデバイス１００が本体２００と結着することでウェアラブルデバイス１００の下面に位置するセンサが充電領域２３１に対面する場合、バッテリ及び充電モジュール３１０を通じてウェアラブルデバイス１００の無線充電が行われても良い。
【００４８】
充電モジュール３１０を含む充電部２３０には、アダプダなどと連結され、バッテリを充電する連結ポート３２０が備えられており、連結ポート３２０と連結されたアダプダなどを通じて外部電気の入力を受け、充電補助機器２０の本体２００に内蔵されたバッテリを充電しても良い。
【００４９】
ユーザは、本体２００の一面の末端部分に形成された孔に本体２００の他面の末端に備えられた固定顎が通り、固定顎で当該孔を固定することで本体２００の両端を相互結合しても良い。
【００５０】
図４ａ乃至図４ｃは、ウェアラブルデバイスの機能損失を阻むための補助機器とウェアラブルデバイスとを結合する過程を説明するための図である。
【００５１】
図４ａ乃至図４ｃを参照すると、ユーザは、ウェアラブルデバイス１００の下面のセンサを使用するために、本体２００の中央に孔が形成された第２の形態のラインのストラップを有する補助機器とウェアラブルデバイス１００とを結合してユーザの手首に着用しても良い。具体的に、ユーザは、ウェアラブルデバイス１００を着用するために、ウェアラブルデバイス１００の一側と連結された第１の結着補助部１２０を補助機器の本体２００に形成された第１の結着部２１０に磁石方式で固定し、ウェアラブルデバイス１００の他側と連結された第２の結着補助部１３０を補助機器の本体２００に形成された第２の結着部２２０にスライド方式で固定しても良い。例えば、補助機器の本体２００の中央に孔が形成されていて、本体２００の中央領域の幅及び面積が他の領域に比べて大きく形成され、本体２００の両端から中央に行くほど面積が徐々に大きくなっても良い。
【００５２】
本体２００の中央に孔が形成された補助機器は、図２ａのような充電部２３０が備えられておらず、ウェアラブルデバイス１００を充電することができないが、補助機器の孔を通じてウェアラブルデバイス１００の下面に位置するセンサ１３０がユーザの身体に接触されるので、ウェアラブルデバイス１００本来の機能損失なしに当該センサ１３０を通じて着用者の身体信号を測定することができる。
【００５３】
ユーザは、本体２００の一面に形成された複数の孔のうち１つを本体２００の他面の末端に備えられたリング状部材に通らせ、リング状部材に形成された固定ピンを１つの孔に固定することで本体２００の両端を相互結合しても良い。
【００５４】
図５は、本発明の一実施例に係る、ウェアラブルデバイス１００と結合可能な充電補助機器２０を通じてウェアラブルデバイスを充電する方法を示すフローチャートである。
【００５５】
図５を参照すると、ステップＳ５０１において、充電補助機器２０は、互いに反対方向に延在し、両端が結合可能な本体２００に配置された結着部２１０、２２０を通じてウェアラブルデバイス１００を本体２００に結着しても良い。
【００５６】
ステップＳ５０３において、充電補助機器２０は、本体２００に内蔵されたバッテリを通じてウェアラブルデバイス１００を充電しても良い。ここで、バッテリは、本体２００の変形に応じて外形が変形可能なフレキシブルなバッテリで構成されていても良い。
【００５７】
上述した説明において、ステップＳ５０１乃至Ｓ５０３は、本発明の具現例によって追加のステップにさらに分割されたり、より少ないステップに組み合わせられても良い。また、一部のステップは必要に応じて省略されても良く、ステップ間の手順が変更されても良い。
【００５８】
上述した本発明の説明は例示のためのものであり、本発明の属する技術分野において通常の知識を有する者であれば、本発明の技術的思想や必須の特徴を変更せずに他の具体的な形態に容易に変形可能であるということを理解できるはずである。それゆえ、上記した実施例は全ての面において例示的なものであり、限定的なものではないと理解すべきである。例えば、単一型で説明されている各構成要素は分散して実施されても良く、同様に、分散したものと説明されている構成要素も結合された形態で実施されても良い。
【００５９】
本発明の範囲は、詳細な説明よりは後述する特許請求の範囲によって示され、特許請求の範囲の意味及び範囲、並びにその均等概念から導出される全ての変更又は変形された形態が本発明の範囲に含まれると解釈されなければならない。
【図１ａ】
2021511772.tif 000003
【図１ｂ】
2021511772.tif 000004
【図１ｃ】
2021511772.tif 000005
【図２ａ】
2021511772.tif 000006
【図２ｂ】
2021511772.tif 000007
【図３ａ】
2021511772.tif 000008
【図３ｂ】
2021511772.tif 000009
【図３ｃ】
2021511772.tif 000010
【図３ｄ】
2021511772.tif 000011
【図４ａ】
2021511772.tif 000012
【図４ｂ】
2021511772.tif 000013
【図４ｃ】
2021511772.tif 000014
【図５】
2021511772.tif 000015
【国際調査報告】
2021511772.tif 000016
2021511772.tif 000017
2021511772.tif 000018
2021511772.tif 000019